(57)【要約】【課題】原稿の種類に応じた適切な分離状態をより確実に選択することで、原稿を適切に給送する。【解決手段】原稿を読み取る読み取り部と、原稿を載置する原稿載置部と、前記原稿載置部から原稿を送り出す給送ローラーと、前記給送ローラーとの間で原稿をニップするローラーであって、原稿の分離を行う分離状態と、原稿の分離を行わない非分離状態と、を切り換え可能な分離ローラーと、原稿の給送を制御する制御部と、を備え、前記制御部は、読み取りを行う原稿の種類の選択と読み取りの開始を指示する為のユーザインタフェースを介して設定された原稿の種類に基づき、前記分離状態で給送を行うか前記非分離状態で給送を行うかを決定する。【選択図】図４
2019062468.tif 000002
【特許請求の範囲】
【請求項１】
原稿を読み取る読み取り部と、
原稿を載置する原稿載置部と、
前記原稿載置部から原稿を送り出す給送ローラーと、
前記給送ローラーとの間で原稿をニップするローラーであって、原稿の分離を行う分離状態と、原稿の分離を行わない非分離状態と、を切り換え可能な分離ローラーと、
原稿の給送を制御する制御部と、を備え、
前記制御部は、読み取りを行う原稿の種類の選択と読み取りの開始を指示する為のユーザインタフェースを介して設定された原稿の種類に基づき、前記分離状態で給送を行うか前記非分離状態で給送を行うかを決定する、
ことを特徴とする画像読取装置。
【請求項２】
請求項１に記載の画像読取装置において、前記制御部の制御のもと、前記分離状態と前記非分離状態とを切り換える切り換え手段を備え、
前記制御部は、設定された原稿の種類に基づき、前記切り換え手段を制御する、
ことを特徴とする画像読取装置。
【請求項３】
請求項１に記載の画像読取装置において、ユーザー操作により前記分離状態と前記非分離状態とを切り換える切り換え手段を備え、
前記制御部は、前記分離ローラーの状態が、設定された原稿の種類に対応しない場合、アラートを発する、
ことを特徴とする画像読取装置。
【請求項４】
請求項１から請求項３のいずれか一項に記載の画像読取装置において、前記給送ローラーの下流側に、原稿の重送を検出する重送検出部を備え、
前記制御部は、第１の原稿を給送する第１給送モードと、第２の原稿を給送する第２給送モードと、を切り換え可能であり、
前記第１給送モードは、前記分離ローラーの状態を前記非分離状態として給送するモードであり、
前記第２給送モードは、前記分離ローラーの状態を前記分離状態として給送するモードであり、
前記制御部は、前記第１給送モードにおいて前記重送検出部を使用せず、前記第２給送モードにおいて前記重送検出部を使用する、
ことを特徴とする画像読取装置。
【請求項５】
請求項４に記載の画像読取装置において、前記第１給送モードは、前記原稿載置部に一枚のみセットされた原稿を給送し、次の一枚の原稿がセットされる迄給送待機状態とする給送モードであり、
前記第２給送モードは、前記原稿載置部にセットされた複数枚の原稿を前記分離ローラーにより分離した上で連続して給送する給送モードである、
ことを特徴とする画像読取装置。
【請求項６】
原稿を読み取る読み取り部と、
原稿を載置する原稿載置部と、
前記原稿載置部から原稿を送り出す給送ローラーと、
前記給送ローラーとの間で原稿をニップするローラーであって、原稿の分離を行う分離状態と、原稿の分離を行わない非分離状態と、を切り換え可能な分離ローラーと、
を備えた画像読取装置における原稿の給送を制御する制御プログラムであって、
読み取りを行う原稿の種類の選択と読み取りの開始を指示する為のユーザインタフェースを介して設定された原稿の種類に基づき、前記分離状態で給送を行うか前記非分離状態で給送を行うかを決定する処理を含む、
ことを特徴とする制御プログラム。
【発明の詳細な説明】
【技術分野】
【０００１】
本発明は、原稿を読み取る画像読取装置、及び当該画像読取装置における原稿の給送を制御する制御プログラムに関する。
【背景技術】
【０００２】
以下、画像読取装置の一例であるスキャナーを例に説明する。スキャナーには、媒体の一例である原稿を自動送りする給送装置（ＡＤＦ（Auto Document Feeder）とも呼ばれる）が設けられ、複数枚の原稿の自動送りと読み込みとを行える様に構成される場合がある。
【０００３】
その様な給送装置の構成としては、特許文献１に示される様に、原稿を載置するトレイ（特許文献１では「シュータ１４」）と、当該トレイにセットされた原稿の面に接触して回転することにより、前記原稿を送り出す給送ローラー（特許文献１では「セットローラ２」）と、当該給送ローラーに接して原稿を分離する分離ローラー（特許文献１では「分離ローラ１２」）と、を備えたものがある。
【０００４】
特許文献１記載の給送ローラーは、トレイに積載された複数枚の原稿（用紙束）のうち、下側の用紙、すなわちトレイの載置面側の用紙から順に送るように構成されている。そして上側の用紙、すなわち分離されるべき用紙は、その先端が分離ローラーに当接して下流側への進行が妨げられる様になっている。
【先行技術文献】
【特許文献】
【０００５】
【特許文献１】特許４８２０３１４号公報
【発明の概要】
【発明が解決しようとする課題】
【０００６】
ところで原稿には種々の種類のものがあり、その中には、複数の層で構成された原稿もあり、その様な原稿に分離ローラーによる分離力を通常の原稿と同じ様に作用させると層が分離してしまい大きなダメージを与えてしまう虞がある。その様な原稿には、例えば、インスタントカメラで使用されるフィルム（以下「インスタントフィルム」）と言う）がある。  
しかしながらその様な原稿がセットされたことは、スキャナーの制御部側としては把握することは困難である。また、ユーザー側に対しても、その様な原稿を他の原稿と同じようにそのまま給送すると大きなダメージが生じることを把握させることは困難である。
【０００７】
そこで本発明は上記の状況に鑑み成されたものであり、その目的は、原稿の種類に応じた適切な分離状態をより確実に選択することで、原稿を適切に給送することにある。
【課題を解決するための手段】
【０００８】
上記課題を解決する為の、本発明の第１の態様に係る画像読取装置は、原稿を読み取る読み取り部と、原稿を載置する原稿載置部と、前記原稿載置部から原稿を送り出す給送ローラーと、前記給送ローラーとの間で原稿をニップするローラーであって、原稿の分離を行う分離状態と、原稿の分離を行わない非分離状態と、を切り換え可能な分離ローラーと、原稿の給送を制御する制御部と、を備え、前記制御部は、読み取りを行う原稿の種類の選択と読み取りの開始を指示する為のユーザインタフェースを介して設定された原稿の種類に基づき、前記分離状態で給送を行うか前記非分離状態で給送を行うかを決定することを特徴とする。
【０００９】
本態様によれば、分離ローラーは、原稿の分離を行う分離状態と、原稿の分離を行わない非分離状態とを切り換え可能であり、そして原稿の給送を制御する制御部は、読み取りを行う原稿の種類の選択と読み取りの開始を指示する為のユーザインタフェースを介して設定された原稿の種類に基づき、前記分離状態で給送を行うか前記非分離状態で給送を行うかを決定するので、原稿の種類に応じた適切な分離状態を確実に選択でき、原稿を適切に給送することができる。  
加えて、ユーザー側はユーザインタフェースにより原稿の種類の選択と読み取りの開始を指示するだけで、分離ローラーの前記分離状態と前記非分離状態との選択を行う必要が無いので、ユーザーフレンドリーであるとともに、ユーザーによる設定ミスも回避することができる。
【００１０】
本発明の第２の態様は、第１の態様において、前記制御部の制御のもと、前記分離状態と前記非分離状態とを切り換える切り換え手段を備え、前記制御部は、設定された原稿の種類に基づき、前記切り換え手段を制御することを特徴とする。
【００１１】
本態様によれば、前記制御部の制御のもと、前記分離状態と前記非分離状態とを切り換える切り換え手段を備え、前記制御部は、設定された原稿の種類に基づき、前記切り換え手段を制御する、即ち、前記分離状態と前記非分離状態との切り換えがユーザーの手によらず自動で行われるので、ユーザー操作性が向上する。
【００１２】
本発明の第３の態様は、第１の態様において、ユーザー操作により前記分離状態と前記非分離状態とを切り換える切り換え手段を備え、前記制御部は、前記分離ローラーの状態が、設定された原稿の種類に対応しない場合、アラートを発することを特徴とする。
【００１３】
本態様によれば、ユーザー操作により前記分離状態と前記非分離状態とを切り換える切り換え手段を備え、前記制御部は、前記分離ローラーの状態が、設定された原稿の種類に対応しない場合、アラートを発するので、ユーザーに対し正しい操作を促すことができ、ひいては原稿の給送実行に移ることができる。
【００１４】
本発明の第４の態様は、第１から第３の態様のいずれかにおいて、前記給送ローラーの下流側に、原稿の重送を検出する重送検出部を備え、前記制御部は、第１の原稿を給送する第１給送モードと、第２の原稿を給送する第２給送モードと、を切り換え可能であり、前記第１給送モードは、前記分離ローラーの状態を前記非分離状態として給送するモードであり、前記第２給送モードは、前記分離ローラーの状態を前記分離状態として給送するモードであり、前記制御部は、前記第１給送モードにおいて前記重送検出部を使用せず、前記第２給送モードにおいて前記重送検出部を使用することを特徴とする。
【００１５】
前記分離ローラーを前記非分離状態として給送する原稿は、複数の層で構成される場合があり、その為原稿の重送を検出する重送検出部を利用すると非重送であるにも拘わらず重送と判定してしまい、ジョブを停止してしまう虞がある。  
本態様によれば、前記制御部は、前記非分離状態とする前記第１給送モードにおいて前記重送検出部を使用せず、前記分離状態とする前記第２給送モードにおいて前記重送検出部を使用するので、上述の問題を回避できる。  
また、前記第１給送モードにより、複数の層で構成される様な原稿、即ち前記分離ローラーにより分離を行うとダメージが生じる様な原稿を適切に給送することができる。
【００１６】
本発明の第５の態様に係る画像読取装置は、第４の態様において、前記第１給送モードは、前記原稿載置部に一枚のみセットされた原稿を給送し、次の一枚の原稿がセットされる迄給送待機状態とする給送モードであり、前記第２給送モードは、前記原稿載置部にセットされた複数枚の原稿を前記分離ローラーにより分離した上で連続して給送する給送モードであることを特徴とする。
【００１７】
本態様によれば、前記第１給送モードにより、複数の層で構成される様な原稿、即ち前記分離ローラーにより分離を行うとダメージが生じる様な原稿を適切に給送することができる。
【００１８】
本発明の第６の態様に係る制御プログラムは、原稿を読み取る読み取り部と、原稿を載置する原稿載置部と、前記原稿載置部から原稿を送り出す給送ローラーと、前記給送ローラーとの間で原稿をニップするローラーであって、原稿の分離を行う分離状態と、原稿の分離を行わない非分離状態と、を切り換え可能な分離ローラーと、備えた画像読取装置における原稿の給送を制御する制御プログラムであって、読み取りを行う原稿の種類の選択と読み取りの開始を指示する為のユーザインタフェースを介して設定された原稿の種類に基づき、前記分離状態で給送を行うか前記非分離状態で給送を行うかを決定する処理を含むことを特徴とする。
【００１９】
本態様によれば、分離ローラーは、原稿の分離を行う分離状態と、原稿の分離を行わない非分離状態とを切り換え可能であり、そして原稿の給送を制御する制御プログラムは、読み取りを行う原稿の種類の選択と読み取りの開始を指示する為のユーザインタフェースを介して設定された原稿の種類に基づき、前記分離状態で給送を行うか前記非分離状態で給送を行うかを決定する処理を含むので、原稿の種類に応じた適切な分離状態を確実に選択でき、原稿を適切に給送することができる。  
加えて、ユーザー側はユーザインタフェースにより原稿の種類の選択と読み取りの開始を指示するだけで、分離ローラーの前記分離状態と前記非分離状態との選択を行う必要が無いので、ユーザーフレンドリーであるとともに、ユーザーによる設定ミスも回避することができる。
【図面の簡単な説明】
【００２０】
【図１】本発明に係るスキャナーを示す外観斜視図。
【図２】本発明に係るスキャナーを図１とは別角度から見た斜視図。
【図３】本発明に係るスキャナーにおける原稿搬送経路を示す側断面図。
【図４】本発明に係るスキャナーの制御系統を示すブロック図。
【図５】分離ローラーの分離状態と非分離状態とを切り換える切り換え手段の平面図。
【図６】原稿種別毎の給送条件を示す条件テーブル図。
【図７】通常写真を読み取る際のユーザインタフェースの遷移例を示す図。
【図８】パノラマ写真を読み取る際のユーザインタフェースの遷移例を示す図。
【図９】インスタント写真を読み取る際のユーザインタフェースの遷移例を示す図。
【図１０】通常写真を読み取る際のユーザインタフェースの遷移例を示す図。
【図１１】インスタント写真を読み取る際のユーザインタフェースの遷移例を示す図。
【図１２】本発明に係るスキャナーを示す外観斜視図（第２実施形態）。
【図１３】分離ローラーの分離状態と非分離状態とを切り換える切り換え手段の斜視図（第２実施形態）。
【図１４】分離ローラーの分離状態と非分離状態とを切り換える切り換え手段の斜視図（第２実施形態）。
【発明を実施するための形態】
【００２１】
以下、本発明に係る画像読取装置の一実施形態及び制御プログラムの一実施例について説明する。本実施形態では画像読取装置の一例として、媒体の一例である原稿の表面及び裏面の少なくとも一面を読み取り可能なドキュメントスキャナー（以下、単にスキャナー１と称する）を例に挙げる。
【００２２】
図１は本発明に係るスキャナーを示す外観斜視図、図２は本発明に係るスキャナーを図１とは別角度から見た斜視図、図３は本発明に係るスキャナーにおける原稿搬送経路を示す側断面図、図４は本発明に係るスキャナーの制御系統を示すブロック図、図５は分離ローラーの分離状態と非分離状態とを切り換える切り換え手段の平面図である。  
また、図６は原稿種別毎の給送条件を示す条件テーブル図、図７は通常写真を読み取る際のユーザインタフェースの遷移例を示す図、図８はパノラマ写真を読み取る際のユーザインタフェースの遷移例を示す図、図９はインスタント写真を読み取る際のユーザインタフェースの遷移例を示す図、図１０は通常写真を読み取る際のユーザインタフェースの遷移例を示す図、図１１はインスタント写真を読み取る際のユーザインタフェースの遷移例を示す図である。
【００２３】
また、図１２は本発明に係るスキャナーを示す外観斜視図（第２実施形態）、図１３及び図１４は分離ローラーの分離状態と非分離状態とを切り換える切り換え手段の斜視図（第２実施形態）である。
【００２４】
尚、各図において示すＸ−Ｙ−Ｚ座標系はＸ方向が装置幅方向であり原稿幅方向、Ｙ方向が原稿搬送方向である。Ｚ方向はＹ方向と交差する方向であって、概ね搬送される原稿の面と直交する方向を示している。また、＋Ｙ方向側を装置前面側とし、−Ｙ方向側を装置背面側とする。また、装置前面側から見て左側を＋Ｘ方向、右側を−Ｘ方向とする。また、＋Ｚ方向を装置上方（上部、上面等を含む）とし、−Ｚ方向側を装置下方（下部、下面等を含む）とする。また、原稿Ｐが給送されていく方向（＋Ｙ方向側）を「下流」といい、これと反対の方向（−Ｙ方向側）を「上流」という。
【００２５】
■■■スキャナーの概要■■■
以下、主として図１及び図２を参照して、本発明に係るスキャナー１について説明する。  
スキャナー１は、原稿Ｐの画像を読み取る読取部２０（図３）を内部に備える装置本体２を備えている。  
装置本体２は、下部ユニット３及び上部ユニット４を備えて構成されている。上部ユニット４は下部ユニット３に対して原稿搬送方向下流側を回動支点として開閉可能に取り付けられており、上部ユニット４を装置前面側に回動して開き、原稿Ｐの原稿搬送経路を露呈させて原稿Ｐの紙詰まりの処理を容易に行うことができる様に構成されている。
【００２６】
装置本体２の装置背面側（−Ｙ軸方向側）には、給送される原稿Ｐを載置する載置面１１ａを有する原稿載置部１１が設けられている。原稿載置部１１は、装置本体２に対して着脱可能に設けられている。  
また、原稿載置部１１には、原稿Ｐの給送方向（Ｙ軸方向）と交差する幅方向（Ｘ軸方向）の側縁をガイドするガイド面１３を備える左右一対のエッジガイド１２、１２が設けられている。
【００２７】
原稿載置部１１は、第１ペーパーサポート８及び第２ペーパーサポート９を備えている。第１ペーパーサポート８及び第２ペーパーサポート９は、図２に示す様に原稿載置部１１の内部に収納可能であり、且つ、図１に示す様に原稿載置部１１から引き出し可能に構成され、載置面１１ａの長さを調整可能になっている。
【００２８】
装置本体２は、上部ユニット４の装置前面側に、各種読み取り設定や読み取り実行の操作を行ったり、読み取り設定内容等を示すユーザインタフェース（ＵＩ）が実現される操作パネル７を備えている。操作パネル７は、本実施形態では表示と入力の双方が行える所謂タッチパネルである。  
上部ユニット４の上部には装置本体２内部に連なる給送口６が設けられており、原稿載置部１１に載置される原稿Ｐは、給送口６から装置本体２内部に設けられる読取部２０に向けて送られる。  
また、下部ユニット３の装置前面側には、後述する排紙トレイ５が設けられている。
【００２９】
■■■スキャナーにおける原稿搬送経路について■■■
次に、図３を参照して、スキャナー１における原稿搬送経路について説明する。尚、図３において符号Ｔで示す点線は原稿搬送経路を示している。  
原稿載置部１１の下流側には、原稿載置部１１の載置面１１aに載置された原稿Ｐを読取部２０に向けて送る給送ローラー１４と、給送ローラー１４との間で原稿Ｐをニップして分離する分離ローラー１５を備えている。
【００３０】
原稿載置部１１の載置面１１aに載置された原稿Ｐは、下部ユニット３に対して回転可能に設けられた給送ローラー１４により下流側（＋Ｙ方向側）に給送される。したがって、スキャナー１において複数枚の原稿Ｐを原稿載置部１１にセットした場合には、載置面１１ａ側の原稿Ｐから順に下流側に向けて給送される。  
尚、原稿載置部１１には、原稿載置部１１上に原稿Ｐが存在するか否かを検出する為のセンサー（不図示）が設けられている。
【００３１】
給送ローラー１４は、給送ローラー用モーター４５（図４）により回転駆動される。給送ローラー用モーター４５から回転トルクを得て、給送ローラー１４は図３において反時計回り方向に回転する。  
分離ローラー１５には、搬送ローラー用モーター４６（図４）から、不図示のトルクリミッタを介して回転トルクが伝達される。
【００３２】
給送ローラー１４と分離ローラー１５との間に原稿Ｐが介在しない場合、或いは１枚のみ介在する場合、分離ローラー１５は、不図示のトルクリミッタにおいて滑りが生じることにより、搬送ローラー用モーター４６から受ける回転トルクに拘わらず従動回転する（図３において時計回り方向）。  
給送ローラー１４と分離ローラー１５との間に、給送されるべき原稿Ｐに加えて更に２枚目以降の原稿Ｐが入り込むと、原稿間で滑りが生じることにより、分離ローラー１５は搬送ローラー用モーター４６から受ける回転トルクにより、図３の反時計回り方向に回転する。これにより、原稿Ｐの重送が防止される。  
尚、搬送ローラー用モーター４６から分離ローラー１５への駆動力伝達経路には分離切換手段６８Ａ（図４、図５）が設けられているが、これについては後に説明する。
【００３３】
給送ローラー１４の下流側には、搬送ローラー対１６と、画像を読み取る読取部２０と、排出ローラー対１７とが設けられている。給送ローラー１４及び分離ローラー１５によりニップされて下流側に給送された原稿Ｐは搬送ローラー対１６にニップされて、搬送ローラー対１６の下流側に位置する読取部２０に搬送される。  
搬送ローラー対１６は、搬送ローラー用モーター４６（図４）により回転駆動される。
【００３４】
給送ローラー１４と読取部２０との間の原稿搬送経路には、重送検出部３３を構成する超音波発信部３１と超音波受信部３２とが設けられている。より具体的には、重送検出部３３は、超音波を発信する超音波発信部３１、及び超音波発信部３１から発信された超音波を受信して、受信した超音波に応じた検出信号を出力する超音波受信部３２を備えている。  
超音波発信部３１と超音波受信部３２とは、原稿搬送経路を挟んで上側と下側に設けられている。より具体的には、超音波発信部３１は上部ユニット４側に設けられ、超音波受信部３２は下部ユニット３側に設けられている。  
重送検出部３３によって、搬送される原稿Ｐの重送や折り目や皺等のある原稿Ｐの検出を行うことができる。
【００３５】
読取部２０は、上部ユニット４側に設けられた上部読取センサー２０ａと、下部ユニット３側に設けられた下部読取センサー２０ｂとを備えている。本実施形態において、上部読取センサー２０ａ及び下部読取センサー２０ｂは一例として密着型イメージセンサーモジュール（ＣＩＳＭ）として構成されている。
【００３６】
尚、原稿搬送経路において重送検出部３３と、給送ローラー１４との間には、原稿Ｐの先端或いは後端の通過を検出する原稿検出部４７が設けられている。スキャナー１の制御部４０は、原稿検出部４７から送られる信号をもとに、原稿搬送経路における原稿Ｐの位置を把握することができる。
【００３７】
原稿Ｐは、読取部２０において原稿Ｐの表面及び裏面の少なくとも一方の面の画像を読み取られた後、読取部２０の下流側に位置する排出ローラー対１７にニップされて、下部ユニット３の装置前面側に設けられた排出口１８から排出される。  
尚、排出ローラー対１７は、搬送ローラー用モーター４６（図４）により回転駆動される。
【００３８】
下部ユニット３には、排出口１８から装置前面側に向けて引き出し可能に構成された排紙トレイ５が設けられている。排紙トレイ５は、下部ユニット３の底部に収納された状態（図１）と、図示を省略する装置前面側に引き出した状態とを取り得る。排紙トレイ５を引き出した状態において、排出口１８から排出された原稿Ｐを排紙トレイ５上に積載することができる。
【００３９】
■■■スキャナーにおける制御系統について■■■
図４において、制御部４０は原稿Ｐの給送制御を含め、その他スキャナー１の各種制御を行う。制御部４０には操作パネル７からの信号が入力され、また、操作パネル７の表示、特にユーザインタフェース（ＵＩ）を実現する為の信号が制御部４０から操作パネル７に送信される。  
制御部４０は、給送ローラー用モーター４５と搬送ローラー用モーター４６を制御する。上述したように給送ローラー用モーター４５は、給送ローラー１４の駆動源であり、搬送ローラー用モーター４６は、分離ローラー１５、搬送ローラー対１６、排出ローラー対１７、のこれらの駆動源である。  
制御部４０には、読取部２０からの読み取りデータが入力され、また、読取部２０を制御する為の信号が制御部４０から読取部２０に送信される。  
制御部４０には、重送検出部３３及び原稿検出部４７からの信号も入力される。
【００４０】
制御部４０は、ＣＰＵ４１、ＲＯＭ４２、メモリ４３を備えている。ＣＰＵ４１はＲＯＭ４２に格納された制御プログラムに従って各種演算処理を行い、スキャナー１全体の動作を制御する。尚、記憶部の一例であるメモリ４３は読み出し及び書き込みが可能な不揮発性メモリであり、後述する重送検出に必要な各データが格納されている。  
ＲＯＭ４２には、本発明の一実施例に係る、原稿Ｐの給送を制御する制御プログラム４４が格納されている（詳細は後述）。
【００４１】
またスキャナー１は外部コンピュータ６０と接続可能に構成されており、制御部４０には、外部コンピュータ６０から情報が入力される。外部コンピュータ６０は、表示部６２を備えている。表示部６２には、不図示の記憶手段に格納された制御プログラムによりユーザインタフェース（ＵＩ）が実現される。
【００４２】
また制御部４０は、搬送ローラー用モーター４６から分離ローラー１５への動力伝達経路に設けられた分離切換手段６８Ａを制御する。以下、図５を参照して分離切換手段６８Ａについて説明する。  
図５において符号２２は、搬送ローラー用モーター４６から分離ローラー１５へ駆動力を伝達する伝達軸を示しており、伝達軸２２へは、駆動ギア７１、スライドギア７２、ギア群７０、のこれらを介して搬送ローラー用モーター４６からの駆動力が伝達される。  
駆動ギア７１、スライドギア７２、ギア群７０、伝達軸２２、後述する分離切換手段６８Ａ、のこれらは、搬送ローラー用モーター４６から分離ローラー１５へ駆動力を伝達する動力伝達機構６９を構成する。
【００４３】
スライドギア７２は回転軸線方向（図５の左右方向）にスライド可能に設けられており、スライドすることにより、駆動ギア７１と噛合してギア群７０に駆動力を伝達する状態（実線）と、駆動ギア７１から外れてギア群７０に駆動力を伝達しない状態（二点鎖線）と、切り換え可能となっている。以下では、駆動ギア７１からギア群７０に駆動力が伝達される状態、即ち分離ローラー１５に搬送ローラー用モーター４６の駆動力が伝達される状態を、原稿Ｐの分離を行う「分離状態」と称する。また、駆動ギア７１からギア群７０に駆動力が伝達されない状態、即ち分離ローラー１５に搬送ローラー用モーター４６の駆動力が伝達されない状態を、原稿Ｐの分離を行わない「非分離状態」と称する。非分離状態では、分離ローラー１５は軽い力で自由回転可能な状態となる。
【００４４】
分離切換手段６８Ａは、上記分離状態と非分離状態との切り換えを行う。分離切換手段６８Ａは、電磁プランジャ７４と、この電磁プランジャ７４によって図５の左右方向に変位動作するギア係合部材７３Ａとを備えて構成されている。ギア係合部材７３Ａは、スライドギア７２を挟む形状を成しており、電磁プランジャ７４の動作により、スライドギア７２が変位動作し、上記分離状態と非分離状態との切り換えが行われる。
【００４５】
■■■スキャナーにおける給送制御について■■■
続いて図６以降を参照しつつ、原稿種別に応じて切り換えられる給送制御について説明する。  
制御部４０が備える制御プログラム４４（図４）は、図７〜図９、或いは図１０及び図１１に示すユーザインタフェース（ＵＩ）を実現する。図７〜図９、或いは図１０及び図１１に示すユーザインタフェースは、操作パネル７に実現されるユーザインタフェースであり、読み取りを行う為の操作メニューである。
【００４６】
図７において操作メニューＵ−１は、原稿Ｐの一例である各種写真を読み取る際に実現される操作メニューである。尚、操作メニューＵ−１は、図示しないが、写真を読み取るかドキュメント（文書）を読み取るかを選択する操作メニューで、写真が選択された場合に実現される操作メニューである。  
本実施例では、写真種別として、「通常写真」、「パノラマ写真」、「インスタント写真」、のこれら三種類の選択が可能に設定されている。インスタント写真は、例えば、ポラロイド（ポラロイド社の登録商標）写真のように、複数の層で構成される写真であり、分離ローラー１５を分離状態にして分離を行うと層が分離してしまいダメージが生じる虞のある写真である。
【００４７】
図７に示す様に操作メニューＵ−１において「通常写真」が選択された場合、操作メニューＵ−１Ａに遷移する。操作メニューＵ−１Ａでは、「原稿をセットしてください」のガイドが表示され、また、「スタート」、「ストップ」、「キャンセル」の三つの操作アイコンが表示されるとともに、「ストップ」アイコンは選択不可に設定されている。  
操作メニューＵ−１Ａで「キャンセル」が選択されると、操作メニューＵ−１に戻る。
操作メニューＵ−１Ａで「スタート」が選択されると、操作メニューＵ−１Ｂに遷移し、通常写真の給送と読み取りが開始される。  
操作メニューＵ−１Ｂでは、「読み取り中」のガイドが表示されるとともに、「スタート」、「キャンセル」アイコンは選択不可に設定される。操作メニューＵ−１Ｂで「ストップ」が選択されると、読み取りが中止され、操作メニューＵ−１Ａに戻る。操作メニューＵ−１Ｂで「ストップ」が選択されずに読み取りが終了すると、操作メニューＵ−１に戻る。  
尚、操作メニューＵ−１Ａ、Ｕ−１Ｂの「キャンセル」アイコンは省略しても良い。
【００４８】
尚、操作メニューＵ−１で「通常写真」が選択された場合、制御部４０は原稿Ｐの給送に際して適用する給送条件として、図６のテーブルＮｏ．３を選択する。  
図６において「重送検閾値」とは、重送検出部３３により得られた信号レベルをもとに重送か否かを判定する為に用いる閾値であり、原稿厚が厚いほど信号レベルが低くなる為、閾値も低くする。ここでは、「写真用」の閾値を用いる。  
また、「重送検」の「ＯＮ」は、重送判定を行うことを示し、「ＯＦＦ」は、重送判定を行わないことを示している。ここでは、「ＯＮ」となり、重送判定を行う。  
「１枚給紙モード」とは、原稿Ｐを複数枚セットせずに、１枚ずつセットと給送を行う給紙モードであり、「ＯＮ」はその適用を示し、「ＯＦＦ」は非適用を示す。ここでは「ＯＦＦ」となり、複数枚の原稿Ｐのセットが可能となり、セットされた複数枚の原稿のうち一番下のものから順次給送される。  
「分離モード」とは、分離ローラー１５の上記分離状態と非分離状態とのいずれかを示すものである。ここでは「分離」となり、分離ローラー１５が分離状態とされて原稿分離が行われる。
【００４９】
次に、図８に示す様に操作メニューＵ−１において「パノラマ」が選択された場合、操作メニューＵ−２Ａに遷移する。操作メニューＵ−２Ａでは、「原稿をセットしてください」のガイドが表示され、また、「スタート」、「ストップ」、「キャンセル」の三つの操作アイコンが表示されるとともに、「ストップ」アイコンは選択不可に設定されている。  
操作メニューＵ−２Ａで「キャンセル」が選択されると、操作メニューＵ−１に戻る。
操作メニューＵ−２Ａで「スタート」が選択されると、操作メニューＵ−２Ｂに遷移し、パノラマ写真の給送と読み取りが開始される。  
操作メニューＵ−２Ｂでは、「読み取り中」のガイドが表示されるとともに、「スタート」、「キャンセル」アイコンは選択不可に設定される。操作メニューＵ−２Ｂで「ストップ」が選択されると、読み取りが中止され、操作メニューＵ−２Ａに戻る。操作メニューＵ−２Ｂで「ストップ」が選択されずに読み取りが終了すると、操作メニューＵ−１に戻る。  
尚、操作メニューＵ−２Ａ、Ｕ−２Ｂの「キャンセル」アイコンは省略しても良い。
【００５０】
尚、操作メニューＵ−１で「パノラマ」が選択された場合、制御部４０は原稿Ｐの給送に際して適用する給送条件として、図６のテーブルＮｏ．１を選択する。テーブルＮｏ．１の給送条件で実現される給送モードが、「第２給送モード」となる。  
ここでは、「重送検閾値」には「写真用」の閾値が適用され、「重送検」は「ＯＮ」が選択されて重送判定を行う。「１枚給紙モード」は「ＯＦＦ」が選択され、複数枚の原稿のセットが可能となり、セットされた複数枚の原稿のうち一番下のものから順次給送される。  
「分離モード」は「分離」が選択され、分離ローラー１５が分離状態とされ、原稿分離が行われる。
【００５１】
次に、図９に示す様に操作メニューＵ−１において「インスタント」が選択された場合、操作メニューＵ−３Ａに遷移する。操作メニューＵ−３Ａでは、「最初の原稿を１枚セットしてください」のガイドが表示され、また、「スタート」、「キャンセル」の二つの操作アイコンが表示される。操作メニューＵ−３Ａで「キャンセル」が選択されると、操作メニューＵ−１に戻る。  
操作メニューＵ−３Ａで「スタート」が選択されると、インスタント写真の給送と読み取りが開始され、そして操作メニューＵ−３Ｂに遷移する。  
操作メニューＵ−３Ｂが表示された時点では、１枚目のインスタント写真の読み取りは終了しており、「スタート」アイコンは選択不可に設定されているとともに、「次の原稿を１枚セットして下さい」のガイドが表示される。  
この状態で次の原稿を１枚セットすると、不図示のセンサーがそのセットを検出し、自動で給送と読み取りが行われる。即ち、「スタート」アイコンは最初の一枚目のみタッチする必要があるが、以降は、原稿Ｐのセットにより自動で給送と読み取りが行われる。  
操作メニューＵ−３Ａ、Ｕ−３Ｂで「キャンセル」が選択されると、操作メニューＵ−１に戻る。  
尚、操作メニューＵ−３Ａ、Ｕ−３Ｂの「キャンセル」アイコンは省略しても良い。
【００５２】
尚、操作メニューＵ−１で「インスタント」が選択された場合、制御部４０は原稿の給送に際して適用する給送条件として、図６のテーブルＮｏ．２を選択する。テーブルＮｏ．２の給送条件で実現される給送モードが、「第１給送モード」となる。  
ここでは、「重送検」は「ＯＦＦ」が選択されて重送判定は行わず、「１枚給紙モード」は「ＯＮ」が選択される。「分離モード」は「非分離」が選択され、分離ローラー１５は非分離状態とされて、原稿分離は行われない。
【００５３】
尚、操作メニューＵ−１に遷移する前の操作メニュー（不図示）で「ドキュメント」が選択された場合、制御部４０は原稿Ｐの給送に際して適用する給送条件として、図６のテーブルＮｏ．４を選択する。  
ここでは、「重送検閾値」には「ドキュメント用」の閾値が適用され、「重送検」は「ＯＮ」が選択されて重送判定を行う。「１枚給紙モード」は「ＯＦＦ」が選択され、複数枚の原稿Ｐのセットが可能となり、セットされた複数枚の原稿Ｐのうち一番下のものから順次給送される。「分離モード」は「分離」が選択され、分離ローラー１５は分離状態とされて、原稿分離が行われる。
【００５４】
図７〜図９に示したＵＩは、図１０及び図１１に示す様に変更することもできる。図１０及び図１１に示す操作メニューＵ−２では、所謂ラジオボタンで原稿種類を選択する形式であり、「スタート」アイコンを選択すると、ラジオボタンで選択された原稿Ｐの給送と読み取りが開始される。「通常写真」の場合（及び「パノラマ写真」の場合）は、「原稿をセットして下さい」のガイドが表示され、「スタート」アイコンを選択すると、原稿Ｐの給送と読み取りが開始されるとともに、操作メニューＵ−４Ａに遷移する。  
操作メニューＵ−４Ａでは、「ストップ」アイコンが表示される。読み取りが終了した場合、或いは「ストップ」アイコンが選択された場合には、操作メニューＵ−２に戻る。  
「パノラマ」が選択された場合も、「通常写真」と同様なメニュー遷移となる。
【００５５】
一方、「インスタント」が選択された場合は、図１１に示す様に、「最初の原稿を１枚セットしてください」のガイドが表示される。ユーザーが原稿Ｐを１枚セットし、「スタート」アイコンを選択すると、インスタント写真の給送と読み取りが開始され、そして操作メニューＵ−５Ｃに遷移する。  
操作メニューＵ−５Ｃが表示された時点では、１枚目のインスタント写真の読み取りは終了しており、「次の原稿を１枚セットして下さい」のガイドが表示される。  
この状態で次の原稿Ｐを１枚セットすると、不図示のセンサーがそのセットを検出し、自動で給送と読み取りが行われる。即ち、二枚目以降は、原稿Ｐのセットにより自動で給送と読み取りが行われる。  
操作メニューＵ−５Ｃで「キャンセル」が選択されと、操作メニューＵ−２に戻る。  
尚、各原稿種類を選択して原稿Ｐが給送される際の給送設定は、既に説明した実施例と同様に、図６の内容に従う。  
尚、「キャンセル」の表示は、例えば「インスタントモードを抜けて写真選択に戻る」等の具体的内容表示にしても良い。
【００５６】
以上のスキャナー１の特徴を纏めると以下の通りとなる。即ちスキャナー１は、原稿Ｐを読み取る読取部２０と、原稿Ｐを載置する原稿載置部１１と、原稿載置部１１から原稿Ｐを送り出す給送ローラー１４と、給送ローラー１４との間で原稿Ｐをニップするローラーであって、原稿Ｐの分離を行う分離状態と、原稿Ｐの分離を行わない非分離状態と、を切り換え可能な分離ローラー１５と、原稿Ｐの給送を制御する制御部４０と、を備えている。そして制御部４０は、読み取りを行う原稿Ｐの種類の選択と読み取りの開始を指示する為のユーザインタフェース（図７〜１１）を介して設定された原稿Ｐの種類に基づき、分離状態で給送を行うか非分離状態で給送を行うかを決定する。  
制御プログラム４４（図４）は、読み取りを行う原稿Ｐの種類の選択と読み取りの開始を指示する為のユーザインタフェース（図７〜１１）を介して設定された原稿Ｐの種類に基づき、分離状態で給送を行うか非分離状態で給送を行うかを決定する処理を含む。
【００５７】
これにより、原稿Ｐの種類に応じた適切な分離状態を確実に選択でき、原稿Ｐを適切に給送することができる。加えて、ユーザー側はユーザインタフェースにより原稿Ｐの種類の選択と読み取りの開始を指示するだけで、分離ローラー１５の分離状態と非分離状態との選択を行う必要が無い（意識する必要がない）ので、ユーザーフレンドリーであるとともに、ユーザーによる設定ミスも回避することができる。
【００５８】
またスキャナー１は、制御部４０の制御のもと、分離ローラー１５の分離状態と非分離状態とを切り換える分離切換手段６８Ａ（図４、図５）を備え、制御部４０は、設定された原稿Ｐの種類に基づき、分離切換手段６８Ａを制御する。これにより、前記分離状態と前記非分離状態との切り換えがユーザーの手によらず自動で行われるので、ユーザー操作性が向上し、また、適切な給送の確実性が確保される。
【００５９】
またスキャナー１は、給送ローラー１４の下流側に、原稿Ｐの重送を検出する重送検出部３３を備え、制御部４０は、第１の原稿の一例であるインスタント写真を給送する第１給送モード（図６のテーブルＮｏ．２）と、第２の原稿の一例であるパノラマ写真を給送する第２給送モード（図６のテーブルＮｏ．１）と、を切り換え可能であり、前記第１給送モードは、分離ローラー１５の状態を前記非分離状態として給送するモードであり、第２給送モードは、分離ローラー１５の状態を前記分離状態として給送するモードであり、制御部４０は、第１給送モードにおいて重送検出部３３を使用せず、第２給送モードにおいて重送検出部３３を使用する。
【００６０】
分離ローラー１５を前記非分離状態として給送する原稿Ｐは、複数の層で構成される場合があり、その為原稿Ｐの重送を検出する重送検出部３３を利用すると非重送であるにも拘わらず重送と判定してしまい、ジョブを停止してしまう虞がある。  
しかし制御部４０は、前記非分離状態とする第１給送モードにおいて重送検出部３３を使用せず、前記分離状態とする第２給送モードにおいて重送検出部３３を使用するので、上述の問題を回避できる。
【００６１】
また、第１の原稿の一例であるインスタント写真を給送する第１給送モード（図６のテーブルＮｏ．２）は、原稿載置部１１に一枚のみセットされた原稿Ｐを給送し、次の一枚の原稿Ｐがセットされる迄給送待機状態とする給送モードであり、第２の原稿の一例であるパノラマ写真を給送する第２給送モード（図６のテーブルＮｏ．１）は、原稿載置部１１にセットされた複数枚の原稿を分離ローラー１５により分離した上で連続して給送する給送モードである。  
これにより、複数の層で構成され、分離ローラー１５により分離を行うとダメージが生じる様な原稿、即ち上記の例ではインスタント写真を適切に給送することができる。
【００６２】
以上説明した実施形態は、以下の様に変更することもできる。  
（１）上記実施形態では、分離ローラー１５の分離状態と非分離状態との切り換えが、制御部４０の制御のもと、ユーザー操作によらず自動で行われる構成であるが、ユーザー操作により分離状態と非分離状態とを切り換える様に構成しても良い。  
図１２〜図１４はその様な実施形態を示す為の図であり、スキャナー１００は、図１２に示す様に装置前面において操作パネル７の横に、操作部（スライドスイッチ）７３ｃを備えている。操作部７３ｃは、左右方向にスライド可能である。
【００６３】
操作部７３ｃは、図１３及び図１４に示す様に、ギア係合部材７３Ｂに一体に形成されており、このギア係合部材７３Ｂは、スライドギア７２を挟む形状を成すギア係合部７３ｄを一体に備えている。  
以上の構成により、操作部７３ｃをスライドさせると、スライドギア７２がスライド変位し、スライドギア７２が駆動ギア７１と噛合してギア群７０に駆動力が伝達される分離状態と、スライドギア７２が駆動ギア７１から外れてギア群７０に駆動力を伝達しない非分離状態と、の切り換えが行われる。  
本実施形態に係る分離切換手段６８Ｂは、以上のようにギア係合部材７３Ｂを備えて構成される。  
尚、図１３及び図１４において伝達軸２２にはギア２４が設けられており、このギア２４からギア２３を介して分離ローラー１５に駆動トルクが伝達される。符号２１は分離ローラー１５を備える分離ローラーユニット、符号２５は分離ローラーユニット２１を給送ローラー１４に向けて付勢する付勢手段としてのコイルばねである。
【００６４】
この様にユーザー操作により前記分離状態と前記非分離状態とを切り換える分離切換手段６８Ｂを備える構成において、スライドギア７２の位置を検出する検出手段（不図示）を設け、制御部４０は、分離ローラー１５の状態が、設定された原稿Ｐの種類に対応しない場合（図６で示す給送条件に適合しない場合）、アラートを発する様にしても良い。このアラートは、例えば、操作パネル７に表示しても良いし、外部コンピュータ６０（図４）が備える表示部６２（図４）に表示しても良い。このアラートは、より具体的には、「装置前面の操作つまみを反対側にスライドさせてください」などのメッセージとすることができる。  
これにより、ユーザーに対し正しい操作を促すことができ、ひいては原稿Ｐの給送実行に移ることができる。
【００６５】
（２）図１２〜図１３に示した様な、ユーザー操作により前記分離状態と前記非分離状態とを切り換える分離切換手段６８Ｂを備える構成において、スライドギア７２の位置を検出する検出手段（不図示）を設け、制御部４０が、スライドギア７２の位置、即ち分離状態であるか非分離状態であるかに基づいて、給送モード（給送条件）を選択する様に構成しても良い。これにより、分離ローラー１５の状態に基づいた適切な給送制御を行うことができる。
【００６６】
（３）読み取りを行う原稿Ｐの種類の選択と読み取りの開始を指示する為のユーザインタフェース（図７〜１１）を介して設定された原稿Ｐの種類に基づき、分離状態で給送を行うか非分離状態で給送を行うかを決定する処理を含む制御プログラムを、スキャナー１に接続された外部コンピュータ６０（図４）の記憶手段（不図示）に格納し、外部コンピュータ６０において実行し、前記ユーザインタフェースを外部コンピュータ６０（図４）の表示部６２に実現させても良い。
【符号の説明】
【００６７】
１…スキャナー（画像読取装置）、２…装置本体、３…下部ユニット、４…上部ユニット、５…排紙トレイ、６…給送口、７…操作パネル、８…第１ペーパーサポート、９…第２ペーパーサポート、１１…原稿載置部、１２…エッジガイド、１３…ガイド面、１４…給送ローラー、１５…分離ローラー、１６…搬送ローラー対、１７…排出ローラー対、１８…排出口、２０…読取部、２０ａ…上部読取センサー、２０ｂ…下部読取センサー、２１…分離ローラーユニット、２２…伝達軸、２３、２４…ギア、２５…コイルばね、３１…超音波発信部、３２…超音波受信部、３３…重送検出部、４０…制御部、４１…ＣＰＵ、４２…ＲＯＭ、４３…メモリ、４４…制御プログラム、４５…給送ローラー用モーター、４６…搬送ローラー用モーター、４７…原稿検出部、６０…外部コンピュータ、６２…表示部、６８Ａ、６８Ｂ…分離切換手段、６９…動力伝達機構、７０…ギア群、７１…駆動ギア、７２…スライドギア、７３Ａ、７３Ｂ…ギア係合部材、７３ｃ…操作部、７３ｄ…ギア係合部、７４…電磁プランジャ、Ｐ…原稿（媒体）
【図１】
2019062468.tif 000003
【図２】
2019062468.tif 000004
【図３】
2019062468.tif 000005
【図４】
2019062468.tif 000006
【図５】
2019062468.tif 000007
【図６】
2019062468.tif 000008
【図７】
2019062468.tif 000009
【図８】
2019062468.tif 000010
【図９】
2019062468.tif 000011
【図１０】
2019062468.tif 000012
【図１１】
2019062468.tif 000013
【図１２】
2019062468.tif 000014
【図１３】
2019062468.tif 000015
【図１４】
2019062468.tif 000016